【手続補正書】
【提出日】平成17年5月27日(2005.5.27)
【手続補正１】
【補正対象書類名】明細書
【補正対象項目名】全文
【補正方法】変更
【補正の内容】
【書類名】明細書
【発明の名称】玩具用乱玉花火
【特許請求の範囲】
【請求項１】  一度に複数（５個以上）の火薬の玉（星）を、ニ回以上連続して打ち上げる玩具用乱玉花火。
【請求項２】  一度に複数（５個以上）の火薬の玉（星）を打ち上げるものと、一度に一つの火薬の玉（星）を打ち上げるものが混在されていて、それがニ回以上連続して打ち上がる玩具用乱玉花火。
【発明の詳細な説明】
【０００１】
【産業上の利用分野】
本発明は玩具花火に関するものである。
【０００２】
【従来の技術】
従来玩具花火の中で乱玉といわれている花火は、一度に一つの火薬の玉（星）を二回以上連続して打ち上げるものがあった。
【０００３】
【発明が解決しようとする課題】
上記従来の玩具花火は、一度に一つの火薬の玉（星）しか連続して打ち上がらず見た目の面白さや迫力に欠けていた。
【０００４】
【課題を解決するための手段】
本発明は上記問題を解決しようとするもので、一度に複数（５個以上）の火薬の玉（星）を二回以上連続して打ち上げる玩具用乱玉花火であり、あるいは一度に複数（５個以上）の火薬の玉（星）を打ち上げるものと、一度に一つの火薬の玉（星）を打ち上げるものが混在されていて、それがニ回以上連続して打ち上がるようにした玩具用乱玉花火である。
【０００５】
【作用】
本発明は一度に複数（５個以上）の火薬の玉（星）を連続して打ち上げることにより見た目の面白さと迫力を増大させることができる。
【０００６】
【実施例】
以下、本発明の実施例を添付図面に従って説明する。
図１は一度に複数（５個以上）の火薬の玉（星）４を五回連続して打ち上げる、玩具用乱玉花火１０の縦断面図である。
図１に示した玩具用乱玉花火１０は、紙管１の開口部の一方に土・セメント・プラスチックなどから構成された底止め２を有し、その中に導火線３と複数（５個以上）の火薬の玉（星）４、それに打ち上げ薬５と土・砂・木粉などからなる隔壁６を有し、それらを押さえ紙７で固定した構造からなり、導火線の先端３ａに点火すると導火線の燃焼により、順次複数（５個以上）の火薬の玉（星）４と打ち上げ薬５に着火し、最初押さえ紙７と隔壁６と火のついた複数（５個以上）の火薬の玉（星）４を上空に打ち上げ、次からは順次隔壁６と火のついた複数（５個以上）の火薬の玉（星）４を上空に打ち上げる五連発の玩具用乱玉花火である。
複数打ち上がる火薬の玉（星）４の数は五個以上ならばいくつでもよく、大きさも均一でなくともよい、又その形も球状だけでなく立方体のような形でも良いし、粒状ならばいびつな形でも良い。
隔壁６は土・砂・木粉などから構成されているが、複数（５個以上）の火薬の玉（星）４と打ち上げ薬５を隔てることができる紙などでもかまわないし、導火線の燃焼により着火され燃焼する延時薬のようなものでもかまわない。
押さえ紙７の変わりに、たとえば火薬に糊剤を加えて水で練った、いわゆる泥薬に変更して固定してもかまわない。
図３は一度に複数（５個以上）の火薬の玉（星）４を打ち上げるものと、一度に一つの火薬の玉（星）４を打ち上げるものが混在されていて、それが六回連続して打ち上がる玩具用乱玉花火２０の縦断面図である。
玩具用乱玉花火２０は導火線の先端３ａに点火すると導火線の燃焼により順次火薬の玉（星）４と打ち上げ薬５に着火し、最初は押さえ紙７と隔壁６と火のついた複数（５個以上）の火薬の玉（星）４を打ち上げ、次には隔壁６と火のついた一つの火薬の玉（星）４を、三番目には隔壁６と火のついた複数（５個以上）の火薬の玉（星）４を、四番目には隔壁６と火のついた一つの火薬の玉（星）４を、五番目には隔壁６と火のついた複数（５個以上）の火薬の玉（星）４を、そして最後には隔壁６と火のついた複数（５個以上）の火薬の玉（星）４を打ち上げる構造になっている。
図４の玩具用乱玉花火３０は紙管１の開口部の一方に底止め２を有し、その中に導火線３と複数（５個以上）の火薬の玉（星）４、それに打ち上げ薬５と延時薬８を有し、それらを泥薬９で固定した構造からなり、導火線の先端３ａに点火すると導火線の燃焼により最初に泥薬９に着火し、次いで延時薬８、複数（５個以上）の火薬の玉（星）４、打ち上げ薬５の順番に着火して火のついた複数（５個以上）の火薬の玉（星）４を三回上空に打ち上げる。
図５の玩具用乱玉花火４０は、泥薬９に点火すると泥薬９の燃焼により延時薬８が燃焼し順次複数（５個以上）の火薬の玉（星）４と打ち上げ薬５に着火し、順次火のついた複数（５個以上）の火薬の玉（星）４が四回打ち上げられる構造である。
図６は紙又はプラスチックなどの材料からなる台５１と、それに接着剤又はステープルなどにより固定された玩具用乱玉花火５０と外装用紙管５２、それに外装用紙管に着脱可能な紙又はプラスチックなどの材料からなる蓋５３から構成されていて、蓋５３を取り導火線の先端３ａに点火すると導火線の燃焼により順次、延時薬８、火薬の玉（星）４、打ち上げ薬５の順番に着火し、最初押さえ紙７と火のついた一つの火薬の玉（星）４を上空に打ち上げ、次には火のついた一つの火薬の玉（星）４を打ち上げ、三番目と四番目も火のついた一つの火薬の玉（星）４を打ち上げて最後は火のついた複数（５個以上）の火薬の玉（星）４が打ち上げられる構造である。
図７は玩具用乱玉花火１０を二本平行に並べてそれぞれの導火線を密着させ、粘着テープなどで固定した構造であり、導火線の先端３ａへの一度の点火により２本の本発明の玩具用乱玉花火が燃焼するものである、この場合並べるのは２本以上ならば何本でもかまわないし、その組み合わせもたとえば同じ玩具用乱玉花火１０を二本以上組み合わせても良いし、玩具用乱玉花火２０などの他の実施例との組み合わせでもかまわない。
導火線同士を固定するものは糊のついた紙や、泥薬でもかまわない。
図８は本発明の玩具用乱玉花火１０と従来からある玩具用乱玉花火６０を平行に並べて導火線を密着させ、粘着テープなどで固定したものを外装用紙管５２と共に紙又はプラスチックなどの材料からなる台５１の上に接着剤又はステープルなどで固定し、着脱可能な紙又はプラスチックなどの材料からなる蓋５３を装着したものであり、蓋５３を取って導火線の先端３ａへの一度の点火により二本の玩具用乱玉花火が燃焼するものである。
この場合並べるのは二本以上ならば何本でもかまわないし従来からある玩具用乱玉花火６０と組み合わせるものは玩具用乱玉花火２０などの他の実施例でもかまわないのである。
従来からある玩具用乱玉花火６０は導火線の先端３ａへの点火により導火線３が燃焼し順次一つの火薬の玉（星）４と打ち上げ薬５に着火し、最初は押さえ紙７と隔壁６と火のついた一つの火薬の玉（星）４を打ち上げ、次からは隔壁６と火のついた一つの火薬の玉（星）４を順番に打ち上げる構造になっている。
図９は台５１の上に玩具用乱玉花火１０を二本斜めに固定させ、それぞれの導火線を密着させて粘着テープなどで固定し外装用紙管５２と着脱可能な蓋５３を装着した構造であり、蓋５３を取って導火線の先端３ａへの一度の点火により２本の本発明の玩具用乱玉花火１０が燃焼し火のついた複数（５個以上）の火薬の玉（星）を斜めに打ち上げるのである、この場合並べるのは２本以上ならば何本でもかまわないし、その組み合わせもたとえば同じ玩具用乱玉花火１０を２本以上組み合わせても良いし、玩具用乱玉花火２０などの他の実施例との組み合わせでもかまわないのである。
【０００７】
【発明の効果】
請求項１の発明によれば、一度に複数（５個以上）の火薬の玉（星）が二回以上連続して打ち上がることにより、花火の迫力と面白さを増大させることができる。
請求項２の発明によれば、一度に複数（５個以上）の火薬の玉（星）を打ち上げるものと、一度に一つの火薬の玉（星）を打ち上げるものが混在されていて、それニ回以上連続して打ち上がるようにしたことにより、花火の迫力と面白さを増大させることができる。
【図面の簡単な説明】
【図１】
本発明の実施例の縦断面図である。
【図２】
本発明の平面図である。
【図３】
本発明の他の実施例の縦断面図である。
【図４】
本発明の他の実施例の縦断面図である。
【図５】
本発明の他の実施例の縦断面図である。
【図６】
本発明の他の実施例の縦断面図である。
【図７】
本発明の他の実施例の縦断面図である。
【図８】
本発明の他の実施例の縦断面図である。
【図９】
本発明の他の実施例の縦断面図である。
【符号の説明】
１  紙管
２  底止め
３  導火線
４  火薬の玉（星）
５  打ち上げ薬
６  隔壁
７  押さえ紙
８  延時薬
９  泥薬
１０、２０、３０、４０、５０  本発明の玩具用乱玉花火
５１  台
５２  外装用紙管
５３  蓋
５４  粘着テープ
６０  従来からある玩具用乱玉花火